(57)【要約】【課題】洗浄対象物の洗浄と、洗浄後の乾燥処理とを行なうことができる洗浄装置を提供することである。【解決手段】エア源１から送り込まれる高圧エアと貯溜タンク６内から吸引によって送られてくる洗浄液とを混合して噴射するスプレーガン３のノズルヘッド８の外側に先端が開口するバキュームカップ１１を取付け、そのバキュームカップ１１で洗浄部位を覆う状態で洗浄液を噴射して洗浄作業を行ない、洗浄液の周囲への飛散を防止する。前記バキュームカップ１１の内部を減圧された回収タンク１４の内部と連通させてバキュームカップ１１内に吸引力を付与し、その吸引力によってバキュームカップ１１内に流入する洗浄廃液を回収タンク１４内に戻す。また、スプレーガン３と貯溜タンク６内を連通する洗浄液供給路５に開閉弁９を設け、その開閉弁９を閉じて洗浄液の供給を遮断し、スプレーガン３から高圧エアを噴射させて洗浄対象物Ａを乾燥処理する。【選択図】  図１
2004261772.tif 000002
【特許請求の範囲】
【請求項１】
洗浄液の貯溜タンクと、操作レバーを有し、その操作レバーを握る操作によってエア源から供給される高圧エアと前記貯溜タンク内から吸引される洗浄液とを混合して、その混合流体をノズルヘッドから洗浄対象物に向けて噴射するスプレーガンと、前記ノズルヘッドの外側に設けられ、先端の開口がノズルヘッドの先端面より前方に配置されたバキュームカップと、そのバキュームカップの内部と連通する密閉された洗浄液回収タンクと、その回収タンク内の内部を負圧にして前記バキュームカップの内部に吸引力を付与する吸引発生装置と、前記バキュームカップの内部から回収タンク内に吸引される洗浄廃液をろ過して洗浄液を回収タンク内に流出するフィルタと、前記回収タンク内の洗浄液を吸い込んで前記貯溜タンク内に吐出するポンプとから成り、前記貯溜タンク内の洗浄液を前記スプレーガンの洗浄液吸込み口に導く洗浄液供給路に開閉弁を組込んだ洗浄装置。
【請求項２】
前記貯溜タンク、回収タンクおよび吸引発生装置のそれぞれを台車に搭載し、その台車上に洗浄対象物の支持部を設けた請求項１に記載の洗浄装置。
【発明の詳細な説明】
【０００１】
【発明の属する技術分野】
この発明は、機械加工された機械部品等の洗浄対象物を洗浄する洗浄装置に関するものである。
【０００２】
【従来の技術】
建設機械の旋回台を回転自在に支持する大型の軸受は、外側軌道輪と内側軌道輪の一方を車体にボルト止めすると共に、他方を旋回台にボルト止めするため、各軌道輪に複数のタップ孔を機械加工により形成している。このとき、切り粉がタップ孔に残ることがあるため、機械加工後に洗浄して切り粉を除去することが行なわれている。
【０００３】
上記のような大型軸受の洗浄は、普通、スプレーガンによって洗浄液を吹き付けるようにしている。ところで、洗浄液を単に吹き付ける洗浄方法においては、洗浄廃液の飛散によって周囲を汚すという問題があった。
【０００４】
そのような問題点を解決するため、洗浄廃液を回収する洗浄装置が提案されている（特許文献１および特許文献２参照）。
【０００５】
【特許文献１】
特許第２８４３６８３号公報
【特許文献２】
実開昭５９−１６６２００号公報
【０００６】
上記特許文献１および特許文献２に記載されたいずれの洗浄装置も回収した洗浄廃液をフィルタによりろ過して洗浄液を循環使用する構成であるため、経済的であるという特徴を有している。
【０００７】
【発明が解決しようとする課題】
ところで、上記特許文献１および特許文献２に記載された洗浄装置においては、洗浄対象品を洗浄するのみであって、洗浄後に乾燥処理を行なうことができないという不都合がある。
【０００８】
また、重量のある洗浄液貯溜タンクを床面上に載置して洗浄を行なう構成であるため、作業場所の変更が困難であるという不都合もある。
【０００９】
この発明の第１の課題は、洗浄廃液の周囲への飛散を防止することができると共に、洗浄廃液中の洗浄液を循環使用することができ、しかも、洗浄後において乾燥処理を行うことができるようにした洗浄装置を提供することである。
【００１０】
また、この発明の第２の課題は、作業場所の変更を容易に行なうことができるようにした洗浄装置を提供することである。
【００１１】
【課題を解決するための手段】
上記の第１の課題を解決するために、この発明においては、洗浄液の貯溜タンクと、操作レバーを有し、その操作レバーを握る操作によってエア源から供給される高圧エアと前記貯溜タンク内から吸引される洗浄液とを混合して、その混合流体をノズルヘッドから洗浄対象物に向けて噴射するスプレーガンと、前記ノズルヘッドの外側に設けられ、先端の開口がノズルヘッドの先端面より前方に配置されたバキュームカップと、そのバキュームカップの内部と連通する密閉された洗浄液回収タンクと、その回収タンク内の内部を負圧にして前記バキュームカップの内部に吸引力を付与する吸引発生装置と、前記バキュームカップの内部から回収タンク内に吸引される洗浄廃液をろ過して洗浄液を回収タンク内に流出するフィルタと、前記回収タンク内の洗浄液を吸い込んで前記貯溜タンク内に吐出するポンプとから成り、前記貯溜タンク内の洗浄液を前記スプレーガンの洗浄液吸込み口に導く洗浄液供給路に開閉弁を組込んだ構成を採用したのである。
【００１２】
また、第２の課題を解決するために、この発明においては、前記貯溜タンク、回収タンクおよび吸引発生装置のそれぞれを台車に搭載し、その台車上に洗浄対象物の支持部を設けた構成を採用したのである。
【００１３】
上記の構成から成る洗浄装置においては、バキュームカップの先端を洗浄対象物に当接させた状態でスプレーガンの操作レバーを握り、ノズルヘッドから噴射する洗浄液を洗浄対象物に当接させて洗浄対象物を洗浄する。
【００１４】
このとき、バキュームカップの先端は洗浄対象物に当接されているため、洗浄液の周囲への飛散が防止される。また、バキュームカップの内部には吸引発生装置の作動によって吸引力が付与されているため、洗浄廃液はバキュームカップ内に吸引されて回収タンクに向けて流れ、フィルタを通過する際、洗浄廃液中の異物が除去され、洗浄液のみが回収タンク内に戻される。
【００１５】
また、回収タンク内の洗浄液はポンプの作用によって貯溜タンク内に戻されるため、洗浄液を循環使用することができる。
【００１６】
洗浄対象物の洗浄後、開閉弁を閉じると、スプレーガンに対する洗浄液の供給が停止されるため、ノズルヘッドより高圧エアのみを噴射させることができ、その高圧エアによって洗浄対象物を乾燥処理することができる。
【００１７】
このとき、開閉弁をスプレーガンの洗浄液吸込み口に近接する部位に設けることにより、スプレーガンの操作と開閉弁の操作とを片手で行なうことができるので操作性の向上を図ることができる。
【００１８】
また、この発明においては、台車上に貯溜タンク、回収タンク、吸引発生装置のそれぞれを搭載したことによって、作業場所の変更を容易に行なうことができる。
【００１９】
【発明の実施の形態】
以下、この発明の実施の形態を図面に基づいて説明する。図１に示すように、エア源１にはエアヘッダ２が接続されている。エアヘッダ２は、第１排気口２ａ乃至第３排気口２ｃを有し、第１排気口２ａとスプレーガン３のエア供給口３ａは給気通路４で接続されている。
【００２０】
スプレーガン３は洗浄液の吸込み口３ｂを有し、その吸込み口３ｂに接続された洗浄液供給路５の端部は貯溜タンク６内に貯溜された洗浄液中に差し込まれている。この貯溜タンク６は内部が大気圧に保持されている。
【００２１】
図２に示すように、スプレーガン３は操作レバー７を有し、その操作レバー７を握ると、エア供給口３ａから内部に高圧エアが供給され、その高圧エアの流動によるエジェクト作用によって貯溜タンク６内の洗浄液を洗浄液供給路５および吸込み口３ｂから内部に吸引して高圧エアと混合し、その混合流体を先端のノズルヘッド８から噴射させるようにした従来から公知のものである。このため、スプレーガン３の内部機構については図では省略している。
【００２２】
スプレーガン３の吸込み口３ｂには開度調整が可能な開閉弁９が設けられている。開閉弁９は手動操作式とされ、レバー１０を操作して閉鎖状態とするとスプレーガン３への洗浄液の供給が遮断される。
【００２３】
ノズルヘッド８の外側にはバキュームカップ１１が設けられている。バキュームカップ１１は先端が開口し、その開口部に円錐形のシール部材１１ｂが取付けられている。シール部材１１ｂは弾性を有し、洗浄対象物Ａの表面に対して先端が密着可能とされ、その密着状態において、ノズルヘッド８の先端と洗浄対象物Ａの表面間に所定の間隙が設けられている。
【００２４】
図１に示すように、バキュームカップ１１は回収口１１ａを有し、その回収口１１ａに接続された戻り通路１２の端部にはフィルタ１３が取付けられている。フィルタ１３は洗浄廃液中に含まれる異物を除去し、洗浄液を回収タンク１４内に戻すようになっている。
【００２５】
回収タンク１４は密閉型とされ、その回収タンク１４の内部は吸引発生装置１５の作動により負圧状態とされ、その負圧によってバキュームカップ１１の内部に吸引力が付与される。
【００２６】
吸引発生装置１５は減圧タンク１６を有し、その減圧タンク１６と回収タンク１４とを通路１７で連通し、減圧タンク１６内のエアを排気装置１８により排気して内部圧力を低下させるようにしている。
【００２７】
図３に示すように、排気装置１８は、減圧タンク１６の上部に排気ノズル１９を取付け、その排気ノズル１９に軸方向の排気路２０と、その排気路２０と減圧タンク１６の内部を連通させる半径方向の吸込口２１と、前記排気路２０の周囲に環状通路２２とを形成し、前記排気路２０内に先端部がテーパとされたニードル２３を組込んでいる。また、環状通路２２の内周壁に斜め上方に向く複数のノズル２４を周方向に間隔をおいて設け、かつ環状通路２２の外周壁にエア入口２５を形成し、前記エアヘッダ２の第３排気口２ｃに接続されたエア供給路２６から前記エア入口２５に高圧エアを供給し、そのエア入口２５から環状通路２２内に流れる高圧エアを複数のノズル２４から排気路２０に噴射させ、排気路２０の下部および吸込口２１の圧力低下により減圧タンク１６内のエアを吸引して排気路２０から外部に排出させるようにしている。
【００２８】
ここで、エア供給路２６にはバルブ２７が取付けられ、また、排気ノズル１９の上端部にはサイレンサ２８が接続されている。
【００２９】
図１に示すように、エアヘッダ２の第２排気口２ｂにはエア供給路２９が接続され、そのエア供給路２９にポンプ３０が組込まれている。このポンプ３０は高圧エアを駆動源とし、その吸込み口に接続された吸込管３１は回収タンク１４内の洗浄液中に差し込まれている。また、ポンプ３０の吐出口に接続された吐出管３２は貯溜タンク６に接続され、前記ポンプ３０の駆動によって回収タンク１４内の洗浄液が貯溜タンク６内に送り込まれるようになっている。
【００３０】
図４に示すように、貯溜タンク６、回収タンク１４および吸引発生装置１５の減圧タンク１６のそれぞれは台車３３に搭載されている。台車３３は複数の車輪３４を有し、上部には洗浄対象物Ａを支持する支持部３５が設けられている。支持部３５は対向配置された一対のコの字形の支持枠３６から成り、その支持枠３６によって洗浄対象物Ａの両側部を支持するようになっている。
【００３１】
実施の形態で示す洗浄装置は上記の構造から成り、洗浄対象物Ａの洗浄に際しては、吸引発生装置１５の作動により減圧タンク１６内を減圧し、その減圧タンク１６に連通する回収タンク１４の内部を負圧とする状態において、図２に示すように、スプレーガン３の先端のシール部材１１ｂを洗浄対象物Ａの洗浄部に当接し、その状態でスプレーガン３の操作レバー７を握る。
【００３２】
上記操作レバー７の握りによって高圧エアがスプレーガン３の内部に送り込まれると、その高圧エアの流動により貯溜タンク６内の洗浄液が吸込み口３ｂに吸引されて高圧エアと混合し、その混合流体がノズルヘッド８から洗浄対象物Ａに向けて噴射され、洗浄対象物Ａが洗浄される。
【００３３】
このとき、洗浄液の噴射部位はバキュームカップ１１によって覆われているため、洗浄液が周囲に飛散するのが防止され、洗浄液によって周囲を汚すことはない。
【００３４】
洗浄対象物Ａの洗浄時、回収タンク１４の内部は負圧とされ、その回収タンク１４とバキュームカップ１１の回収口１１ａは戻り通路１２で連通しているため、バキュームカップ１１の内部には吸引力が作用している。
【００３５】
このため、洗浄後の洗浄廃液は、バキュームカップ１１内に吸引されて、戻り通路１２内を回収タンク１４に向けて流れ、フィルタ１３を通過する際、洗浄廃液中の異物が除去され、洗浄液が回収タンク１４内に回収される。
【００３６】
また、回収タンク１４内の洗浄液は、ポンプ３０の駆動によって貯溜タンク６内に供給され、再使用される。
【００３７】
このように、洗浄液は循環使用されるためきわめて経済的である。
【００３８】
洗浄対象物Ａの洗浄後は、開閉弁９を閉じ、貯溜タンク６からスプレーガン３への洗浄液の供給を停止する。その停止によって、スプレーガン３には高圧エアのみが供給され、その高圧エアはノズルヘッド８から噴射されるため、洗浄対象物Ａを乾燥処理することができる。
【００３９】
ここで、作業場所の変更に際しては、台車３３の移動によって洗浄装置の全体を搬送する。
【００４０】
【発明の効果】
以上のようにこの発明においては、スプレーガンの先端のノズルヘッドから洗浄液を噴射させて洗浄対象物を洗浄するとき、その洗浄部位はバキュームカップによって覆われるため、洗浄液の周囲への飛散を防止し、周囲が洗浄液によって汚されるのを防止することができる。
【００４１】
また、開閉弁を閉じることによって貯溜タンクからスプレーガンへの洗浄液の供給が遮断され、ノズルヘッドから高圧エアのみを噴射させることができるため、洗浄対象物の洗浄後において乾燥処理を行なうことができる。
【００４２】
また、台車上に貯溜タンク、回収タンクおよび吸引発生装置を搭載したことによって作業場所を容易に変更することができる。
【図面の簡単な説明】
【図１】この発明に係る洗浄装置の概略図
【図２】図１のスプレーガンを示す一部切欠正面図
【図３】図１の排気ノズルを示す拡大断面図
【図４】洗浄装置が搭載された台車の正面図
【符号の説明】
１  エア源
３  スプレーガン
３ｂ  吸込み口
５  洗浄液供給路
６  貯溜タンク
７  操作レバー
８  ノズルヘッド
９  開閉弁
１１  バキュームカップ
１３  フィルタ
１４  回収タンク
１５  吸引発生装置
１９  排気ノズル
３０  ポンプ
３３  台車
３５  支持部
【図１】
2004261772.tif 000003
【図２】
2004261772.tif 000004
【図３】
2004261772.tif 000005
【図４】
2004261772.tif 000006